(57)【要約】【課題】撮像装置本体と交換レンズとの間での電気通信不良の発生を未然に防ぐことができるレンズマウントを提供する。【解決手段】撮像装置本体２００に設けられたレンズマウントでは、光軸を中心として可動マウント部２４０を回転させ、固定マウント部２２０の雌ねじ部２２３と可動マウント部２４０の雄ねじ部２４３との螺合にしたがって可動マウント部２４０を光軸方向に沿って移動させて、交換レンズ１００のバヨネット爪部１１２ａ〜１１２ｃと可動マウント部２４０の爪部２４１ａ〜２４１ｃとを係合させる。可動マウント部２４０が交換レンズ１００のレンズ側接点部１８０と撮像装置本体２００の本体側接点部３８０との間での電気通信が実行可能な位置にあるか否かを回転検出部３７０で検出し、制御部４００は回転検出部３７０の検出結果に基づいて電気通信のオン／オフを制御する。【選択図】図２
2013218150.tif 000002
【特許請求の範囲】
【請求項１】
交換レンズを撮像装置本体に対して着脱するために前記撮像装置本体に設けられるレンズマウントであって、
前記交換レンズのレンズ側マウント面と当接する本体側マウント面と、第１のねじ部とを有する固定マウント部と、
前記交換レンズのバヨネット爪部と係合する爪部と、前記第１のねじ部と螺合する第２のねじ部とを有し、する可動マウント部と、
前記交換レンズのレンズ側電気通信接点部と電気的に接続される本体側電気通信接点部と、
前記固定マウント部に固定され、光軸を中心として前記可動マウント部を回転させることにより前記第１のねじ部と前記第２のねじ部との螺合にしたがって前記可動マウント部が光軸方向に沿って移動したときに、前記可動マウント部が前記レンズ側電気通信接点部と前記本体側電気通信接点部との間での電気通信が実行可能な位置にあるか否かを検出する検出手段と、
前記検出手段により前記可動マウント部が前記電気通信を実行可能な位置にあることが検出されているときに、前記レンズ側電気通信接点部と前記本体側電気通信接点部との電気通信を実行する制御手段とを備えることを特徴とするレンズマウント。
【請求項２】
前記固定マウント部に対して回転自在に配設されると共に前記可動マウント部に固定され、切り欠き凸部と切り欠き凹部とからなる環状切り欠き部を有するリング部を備え、
前記検出手段は、前記可動マウント部の回転に従って前記リング部が回転したときに前記切り欠き凸部に当接した状態と前記切り欠き凹部に当接した状態とが切り替わることでオン／オフが切り替わることにより前記可動マウント部が前記電気通信を実行可能な位置にあるか否かを検出することを特徴とする請求項１記載のレンズマウント。
【請求項３】
前記レンズ側電気通信接点部と前記本体側電気通信接点部のいずれか一方は、光軸方向においてスライド自在なスプリングコネクタであり、
前記スプリングコネクタのストローク量は、前記可動マウント部を回転させることによって前記バヨネット爪部と前記爪部とが光軸投影上で重なり始めた状態から前記バヨネット爪部と前記爪部とが係合するまでに前記可動マウント部が光軸方向において移動する距離よりも大きいことを特徴とする請求項１又は２に記載のレンズマウント。
【請求項４】
前記撮像装置本体に設けられた表示部を備え、
前記制御手段は、前記電気通信の実行中に、前記可動マウント部が前記電気通信を実行可能な位置にないことを前記検出手段が検出したときには前記電気通信を終了し、前記表示部に前記交換レンズが緩んでいることを表示させることを特徴とする請求項１乃至３のいずれか１項に記載のレンズマウント。
【請求項５】
請求項１乃至４のいずれか１項に記載のレンズマウントを備える撮像装置本体を有することを特徴とする撮像装置。
【発明の詳細な説明】
【技術分野】
【０００１】
本発明は、レンズ交換が可能な撮像装置のレンズマウントに関し、特に、交換レンズと撮像装置本体との間の電気通信を確実に行う技術に関する。
【背景技術】
【０００２】
撮像素子を内蔵する撮像装置として、状況に応じて画角や焦点深度、Ｆ値等を変えて撮影を行うことができるように、単焦点レンズやズームレンズ、広角レンズ、望遠レンズ、マクロレンズ等（以下「交換レンズ」と称する）を交換可能な撮像装置が知られている。交換レンズを撮像装置本体に対して着脱自在とするためのレンズマウントには、ねじ式レンズマントやバヨネット式レンズマウントが知られている。
【０００３】
ここで、交換レンズには、レンズの焦点距離やズーム位置、絞り情報をメタデータとして撮像装置本体に対して出力する機能を持つものがある。また、このような機能に加え、レンズが駆動するための電源を撮像装置本体から受け取り、レンズの駆動制御を行う交換レンズがある。このような交換レンズを用いる撮像装置として、撮像装置本体に交換レンズの装着状態を検出する複数の検出手段を配置し、交換レンズの装着が検出されたときに交換レンズへの給電を開始するものが知られている（例えば、特許文献１参照）。
【先行技術文献】
【特許文献】
【０００４】
【特許文献１】特開平１０−２７１３６６号公報
【発明の概要】
【発明が解決しようとする課題】
【０００５】
しかしながら、交換レンズの装着が検出されたときに、全ての電気接点が確実に接触しているとは限らない。交換レンズが給電を受けているときに接触状態にある電気接点と非接触状態にある電気接点とが混在すると、交換レンズを駆動制御するための信号通信が不安定になり、通信不良が引き起こされて交換レンズの駆動に問題が生じるおそれがある。よって、交換レンズを撮像装置本体に装着したときに、交換レンズ側の電気接点と撮像装置本体側の電気接点とを確実に接触させる必要がある。
【０００６】
本発明は、撮像装置本体と交換レンズとの間での電気通信不良の発生を未然に防ぐことができるレンズマウントを提供することを目的とする。
【課題を解決するための手段】
【０００７】
本発明に係るレンズマウントは、交換レンズを撮像装置本体に対して着脱するために前記撮像装置本体に設けられるレンズマウントであって、前記交換レンズのレンズ側マウント面と当接する本体側マウント面と、第１のねじ部とを有する固定マウント部と、前記交換レンズのバヨネット爪部と係合する爪部と、前記第１のねじ部と螺合する第２のねじ部とを有し、する可動マウント部と、前記交換レンズのレンズ側電気通信接点部と電気的に接続される本体側電気通信接点部と、前記固定マウント部に固定され、光軸を中心として前記可動マウント部を回転させることにより前記第１のねじ部と前記第２のねじ部との螺合にしたがって前記可動マウント部が光軸方向に沿って移動したときに、前記可動マウント部が前記レンズ側電気通信接点部と前記本体側電気通信接点部との間での電気通信が実行可能な位置にあるか否かを検出する検出手段と、前記検出手段により前記可動マウント部が前記電気通信を実行可能な位置にあることが検出されているときに、前記レンズ側電気通信接点部と前記本体側電気通信接点部との電気通信を実行する制御手段とを備えることを特徴とする。
【発明の効果】
【０００８】
本発明によれば、撮像装置本体と交換レンズとの間で、複数の電気接点の全てが確実に接触した状態となったときに撮像装置本体から交換レンズへの給電が行われるため、電気通信不良の発生を未然に防ぐことができる。
【図面の簡単な説明】
【０００９】
【図１】本発明の実施形態に係るレンズマウントを備える撮像装置本体に交換レンズを装着した状態を示す正面斜視図である。
【図２】本発明の実施形態に係るレンズマウントの構成要素を撮像装置本体の正面側から見て示す分解斜視図である。
【図３】本発明の実施形態に係るレンズマウントの構成要素を撮像装置本体の背面側から見て示す分解斜視図である。
【図４】図２（ａ）に示す回転検出部の詳細な構造を示す斜視図である。
【図５】本発明の実施形態に係るレンズマウントに対して着脱可能な交換レンズの構造を示す分解斜視図である、
【図６】交換レンズのマウント部の一部を拡大して、交換レンズの背面側から見た斜視図である。
【図７】交換レンズを撮像装置本体に取り付けるときのレンズマウントの構成要素の動きを経時的に示す正面図である。
【図８】図７（ａ）中のＡ部の拡大図及び図７（ｂ）中のＢ部の拡大図である。
【図９】図７（ｂ）中の矢視Ｃ−Ｃ断面図及び図７（ｄ）中の矢視Ｄ−Ｄ断面図である。
【図１０】図７（ａ）中のＥ部及び図７（ｃ）中のＦ部の光軸方向に対して垂直な断面図である。
【図１１】撮像装置本体が備える回転検出部に関わる制御システムを示すブロック図である。
【図１２】交換レンズの着脱操作時における、撮像装置本体が備える可動マウント部の回転検出処理のフローチャートである。
【発明を実施するための形態】
【００１０】
以下、本発明の実施形態について、添付図面を参照して詳細に説明する。
【００１１】
＜レンズマウントの構造＞
図１は、本発明の実施形態に係るレンズマウントを備える撮像装置本体２００に交換レンズ１００を装着した状態を示す正面斜視図である。図２は、本発明の実施形態に係るレンズマウントの構成要素を撮像装置本体２００の正面側から見て示す分解斜視図である。また、図３は、本発明の実施形態に係るレンズマウントの構成要素を撮像装置本体２００の背面側から見て示す分解斜視図である。
【００１２】
図４は、図２（ａ）に示す回転検出部３７０の詳細な構造を示す斜視図である。図５は、交換レンズ１００の構造を示す分解斜視図であり、図５（ａ）は、交換レンズ１００を正面側から見て示す分解斜視図であり、図５（ｂ）は、交換レンズ１００を背面側から見て示す分解斜視図である。また、図６は、交換レンズ１００のマウント部１１０の一部を拡大して交換レンズ１００の背面側から見た斜視図である。
【００１３】
交換レンズ１００は、大略的に、マウント部１１０、鏡筒部１７０及びレンズ側電気通信接点部１８０（以下「レンズ側接点部１８０」と記す）を有する。撮像装置本体２００のレンズマウントは、大略的に、固定部２１０、固定マウント部２２０、可動マウント部２４０、腕部２６０ａ，２６０ｂ、本体側電気通信接点部３８０（以下「本体側接点部３８０」と記す）、リング部３２０及び回転検出部３７０を有する。
【００１４】
交換レンズ１００の鏡筒部１７０は、不図示であるが、複数のレンズ群と、これら複数のレンズ群を駆動するための動力源と、駆動の制御を行う制御系とを備え、図５に示すように締結部１７１ａ，１７１ｂ，１７１ｃ，１７１ｄを有する。レンズ側接点部１８０は、不図示の締結部を有する。なお、レンズ側接点部１８０は、レンズの焦点距離やズーム位置、絞り情報をメタデータとして信号を入出力する接点部と、レンズを駆動するための給電を受ける接点部とを有する。
【００１５】
交換レンズ１００のマウント部１１０は、図５に示すように、レンズ側マウント面１１１と、バヨネット爪部１１２ａ，１１２ｂ，１１２ｃと、第１の貫通穴部（不図示）と、第２の貫通穴部１１５ａ，１１５ｂ，１１５ｃ，１１５ｄとを有する。バヨネット爪部１１２ａ〜１１２ｃは、図６に示すように、バヨネット爪接触面１１３ａ，１１３ｂ，１１３ｃを有する。
【００１６】
ビスが、マウント部１１０の第１の貫通穴部（不図示）に挿通され、レンズ側接点部１８０の締結部（不図示）に締結される。これにより、レンズ側接点部１８０はマウント部１１０に固定される。また、別のビスが、マウント部１１０の第２の貫通穴部１１５ａ〜１１５ｄに挿通され、鏡筒部１７０の締結部１７１ａ〜１７１ｄに締結される。これにより、マウント部１１０は鏡筒部１７０に固定される。
【００１７】
撮像装置本体２００に設けられたレンズマウントを構成する固定部２１０は、撮像装置本体２００のフレーム（不図示）等に固定される。固定部２１０は、図２に示すように、第１の締結部２１１ａ，２１１ｂ，２１１ｃ，２１１ｄと、第２の締結部２１３ａ，２１３ｂとを有し、これらの締結部にはタップが切られている。
【００１８】
固定マウント部２２０は、図２及び図３に示すように、本体側マウント面２２１、開口部２２２、雌ねじ部２２３、貫通穴部２２４ａ，２２４ｂ，２２４ｃ，２２４ｄ、筒部２２５、環状凹部２２６、第１の当接面２３１及び第２の当接面２３２を有する。本体側マウント面２２１は、交換レンズ１００が撮像装置本体２００に装着されたときに、交換レンズ１００のレンズ側マウント面１１１と当接する。開口部２２２には、交換レンズ１００のバヨネット爪部１１２ａ〜１１２ｃが挿通される。雌ねじ部２２３は、光軸を中心にして形成されている。ビスが、貫通穴部２２４ａ〜２２４ｄに挿通され、締結部２１１ａ〜２１１ｄに締結される。これにより、固定マウント部２２０は固定部２１０に固定される。
【００１９】
可動マウント部２４０は、図２に示すように、爪部２４１ａ，２４１ｂ，２４１ｃを有する。また、可動マウント部２４０は、図３に示すように、雄ねじ部２４３と、締結部２４４ａ，２４４ｂ，２４４ｃ，２４４ｄとを有する。爪部２４１ａ〜２４１ｃは、交換レンズ１００が有するバヨネット爪部１１２ａ〜１１２ｃのバヨネット爪接触面１１３ａ〜１１３ｃと当接する爪接触面２４２ａ，２４２ｂ，２４２ｃを有する。雄ねじ部２４３は雌ねじ部２２３と螺合し、締結部２４４ａ〜２４４ｄにはタップが切られている。
【００２０】
腕部２６０ａ，２６０ｂは同等構造を有する。図２及び図３に示すように、腕部２６０ａ，２０６ｂはそれぞれ、腕部当接面２６５，２６６を有する。また、腕部２６０ａは貫通穴部２６４ａ，２６４ｂを有し、腕部２６０ｂは貫通穴部２６４ｃ，２６４ｄを有する。腕部２６０ａ，２６０ｂは、第１の固定部２１０と固定マウント部２２０とに挟まれた領域において、可動マウント部２４０に対して突設される。貫通穴部２６４ａ〜２６４ｄに挿通されたビスは、締結部２４４ａ〜２４４ｄに締結され、これにより腕部２６０ａ，２６０ｂは可動マウント部２４０に固定される。
【００２１】
本体側接点部３８０は、交換レンズ１００のレンズ側接点部１８０と機械的に接触することによりレンズ側接点部１８０と電気的に接続される接点部を有する。撮像装置本体２００と交換レンズ１００は、レンズ側接点部１８０と本体側接点部３８０とを通じて、焦点距離やズーム位置、絞り情報等をメタデータとした信号通信を行う。また、撮像装置本体２００は、交換レンズ１００に対してレンズを駆動させるための給電を行う。
【００２２】
本実施形態では、本体側接点部３８０スプリングコネクタとなっており、スプリングの伸縮可能量（ストローク量）の範囲内で光軸方向においてスライド自在となっている。本体側接点部３８０は、図２に示すように、貫通穴部３８１ａ，３８１ｂを有する。ビスが、貫通穴部３８１ａ，３８１ｂに挿通され、固定部２１０の第２の締結部２１３ａ，２１３ｂに締結される。これにより、本体側接点部３８０は固定部２１０に固定される。
【００２３】
リング部３２０は、図２に示すように、開口部３２１、貫通穴部３２６ａ，３２６ｂ，３２６ｃ，３２６ｄ及び操作部３３０を有し、また、図３に示すように、環状切り欠き部３２３を有する。開口部３２１は固定マウント部２２０の筒部２２５と摺動係合し、これにより、リング部３２０は固定マウント部２２０に対して回転自在に配設される。環状切り欠き部３２３は、固定マウント部２２０の外周全域に設けられた環状凹部２２６と対向する位置に設けられている。
【００２４】
操作部３３０は、貫通穴部３３２ａ，３３２ｂを有する。ビスが、貫通穴部３３２ａ，３３２ｂ及び貫通穴部３２６ａ，３２６ｂに挿通され、腕部２６０ａのタップの切られた締結部２６１ａ，２６１ｂに締結される。また、ビスが、貫通穴部３２６ｃ，３２６ｄに挿通され、腕部２６０ｂのタップの切られた締結部２６１ｃ，２６１ｄに締結される。これにより、リング部３２０が腕部２６０ａ，２６０ｂに固定されると共に、操作部３３０がリング部３２０に固定される。なお、リング部３２０の貫通穴部３２６ｃ，３２６ｄに対して操作部３３０を配設することも可能である。
【００２５】
回転検出部３７０は、図４に示すように、スイッチ先端３７２を備えるメカニカルスイッチ３７１（以下「メカスイッチ３７１」と記す）と、メカスイッチ３７１が実装される基板３７３とを有する。メカスイッチ３７１は、可動マウント部２４０と締結されたリング部３２０の環状切り欠き部３２３により、レンズ側接点部１８０と本体側接点部３８０との電気通信のオン／オフ（ＯＮ／ＯＦＦ）を切り替える役割を担う。ビスが、基板３７３に形成された貫通穴部３７４に挿通され、固定マウント部２２０の締結部２３３に締結される。これにより、回転検出部３７０は固定マウント部２２０に固定される。
【００２６】
上述した構造を有するレンズマウントにおいて、給電を含む電気通信を行う際に非接触状態の接点が存在すると、交換レンズ１００と撮像装置本体２００との間で通信不良が生じて、交換レンズ１００の誤動作が引き起こされるおそれがある。そのため、レンズ側接点部１８０及び本体側接点部３８０の全接点が確実に接触した位置（電気通信が実行可能な位置）まで可動マウント部２４０が回転した後に、レンズ側接点部１８０と本体側接点部３８０との電気通信をオンにする必要がある。そこで、以下、交換レンズ１００の撮像装置本体２００に対する着脱方法を説明すると共に、着脱時のレンズ側接点部１８０と本体側接点部３８０との間での接点の接触形態について説明する。
【００２７】
＜交換レンズ１００の撮像装置本体２００に対する着脱方法＞
図７は、交換レンズ１００を撮像装置本体２００に取り付ける際のレンズマウントの構成要素の動きを経時的に示す正面図である。なお、図７では、交換レンズ１００のマウント部１１０として、図６に示したマウント部１１０の一部を記載している。図８（ａ）は、図７（ａ）中のＡ部の拡大図であり、図８（ｂ）は図７（ｂ）中のＢ部の拡大図である。図９（ａ）は、図７（ｂ）中の矢視Ｃ−Ｃ断面図であり、図９（ｂ）は図７（ｄ）中の矢視Ｄ−Ｄ断面図である。図１０（ａ）は、図７（ａ）中のＥ部の光軸方向に対して垂直な断面図であり、図１０（ｂ）は、図７（ｃ）中のＦ部の光軸方向に対して垂直な断面図である。
【００２８】
図７（ａ）は、交換レンズ１００のバヨネット爪部１１２ａ〜１１２ｃと可動マウント部２４０の爪部２４１ａ〜２４１ｃとが光軸投影上で重なっておらず、交換レンズ１００が撮像装置本体２００に対して着脱可能な状態を示している。このとき、固定マウント部２２０の第１の当接面２３１と腕部２６０ａ，２６０ｂの腕部当接面２６５とが当接している。
【００２９】
図８（ａ）は、図７（ａ）の状態におけるバヨネット爪部１１２ａと爪部２４１ａとの光軸方向の位置関係を示している。この状態では、バヨネット爪部１１２ａ〜１１２ｃは、開口部２２２に対して光軸方向において挿通可能であるため、撮像装置本体２００に対する交換レンズ１００の着脱が可能である。図１０（ａ）は、図７（ａ）の状態では、メカスイッチ３７１のスイッチ先端３７２が、リング部３２０の環状切り欠き部３２３の切り欠き凸部３２５によって押下されている状態になっていることを示している。メカスイッチ３７１は、Ｎ／Ｃの回路を備えており、このとき、メカスイッチ３７１はオフ状態となっている。そのため、交換レンズ１００と撮像装置本体２００との間で電気通信は行われていない。
【００３０】
交換レンズ１００が図７（ａ）の着脱可能位置にあるときには、可動マウント部２４０は固定マウント部２２０に対して回転しておらず、よって、図７（ａ）の状態における可動マウント部２４０の回転角度θａは０°となる。本実施形態では、可動マウント部２４０は、操作部３３０を回動操作することにより回転し、可動マウント部２４０に回転によって、交換レンズ１００が撮像装置本体２００に締結、固定される。
【００３１】
図７（ｂ）は、操作部３３０を回転角度θｂだけ回動操作することによって、バヨネット爪接触面１１３ａ〜１１３ｃと爪接触面２４２ａ〜２４２ｃとが、光軸投影上で重なり始める状態を示している。図８（ｂ）は、図７（ｂ）の状態におけるバヨネット爪部１１２ａと爪部２４１ａとの光軸方向の位置関係を示している。この状態では、バヨネット爪部１１２ａと爪部２４１ａとが重なり合っているため、交換レンズ１００が撮像装置本体２００から脱落することはない。
【００３２】
図９（ａ）の矢視Ｃ−Ｃ断面図に示すように、交換レンズ１００のレンズ側マウント面１１１からバヨネット爪接触面１１３ａまでの距離を「距離α」とする。また、固定マウント部２２０の本体側マウント面２２１と可動マウント部２４０の爪接触面２４２ａとの間の距離を「距離β」とする。図９（ａ）の状態（つまり、図７（ｂ）の状態）では、“距離α＞距離β”となっており、光軸方向において交換レンズ１００にがたつきが生じているが、交換レンズ１００が脱落することはない。
【００３３】
交換レンズ１００のがたつき量（＝β−α）よりも本体側接点部３８０のスプリングコネクタのストローク量が大きい場合、回転角度θｂより大きな回転角度であれば、レンズ側接点部１８０と本体側接点部３８０とが確実に接触しているとの判断が可能である。なお、本実施形態に係るレンズマウントでは、交換レンズ１００のがたつき量（＝β−α）よりも、本体側接点部３８０のスプリングコネクタのストローク量が大きいものとする。
【００３４】
可動マウント部２４０の爪部２４１ａ〜２４１ｃは、雌ねじ部２２３と雄ねじ部２４３とが螺合しているため、可動マウント部２４０の回転にしたがって光軸方向に沿って第１の固定部２１０に向かって移動する。図７（ｃ）は、図７（ｂ）の状態から操作部３３０を更に回動操作して回転角度θｃとして、レンズ側接点部１８０と本体側接点部３８０とが確実に接触した状態を示している。
【００３５】
図１０（ｂ）に示すように、この状態では、メカスイッチ３７１のスイッチ先端３７２は、リング部３２０の環状切り欠き部３２３の切り欠き凹部３２４に脱落した状態となる。こうして、メカスイッチ３７１のスイッチ先端３７２の位置がリング部３２０の環状切り欠き部３２３の切り欠き凸部３２５から切り欠き凹部３２４へと切り替わることで、押下状態が解除される。これによりメカスイッチ３７１がオン状態になり、交換レンズ１００と撮像装置本体２００との間での電気通信が開始される。
【００３６】
図７（ｄ）は、図７（ｃ）の状態から操作部３３０を更に回動操作して回転角度θｄとし、バヨネット爪接触面１１３ａ〜１１３ｃと爪接触面２４２ａ〜２４２ｃとが最も回転角度の小さい状態で接触している状態を示している。回転角度θｄは、マウント部１１０の個体差により距離αが最小であり、且つ、任意の位置での固定マウント部２２０と可動マウント部２４０における距離βが最小であるときに、これら両接触面が接触する回転角度である。このとき、図９（ｂ）に示すように、交換レンズ１００のマウント部１１０は、“距離α＝距離β”となり、固定マウント部２２０と可動マウント部２４０とによって固定されて、光軸方向において交換レンズ１００にがたつきのない状態となる。
【００３７】
図７（ｅ）は、操作部３３０を更に回動操作して回転角度θｅとし、バヨネット爪接触面１１３ａ〜１１３ｃと爪接触面２４２ａ〜２４２ｃとが最も回転角度の大きい状態で接触している状態を示している。回転角度θｅは、図７（ｄ）の状態とは反対に、マウント部１１０の個体差により距離αが最大で、且つ、任意の位置における固定マウント部２２０と可動マウント部２４０における距離βが最大であるときに、両接触面が接触する回転角度である。
【００３８】
図７（ｆ）は、操作部３３０を更に回動操作して回転角度θｆとし、固定マウント部２２０に対して可動マウント部２４０が最大回転角度まで回転した状態を示している。このとき、固定マウント部２２０の第２の当接面２３２と腕部２６０ａ，２６０ｂの腕部当接面２６６とが当接する。交換レンズ１００の締結を確実に行った後に第２の当接面２３２と腕部当接面２６６とが当接するように、回転角度θｆは回転角度θｅ以上（θｆ≧θｅ）である必要がある。
【００３９】
図７（ｆ）の状態では、交換レンズ１００のマウント部１１０、撮像装置本体２００の固定マウント部２２０と及び可動マウント部２４０のいずれかは変形していることになる。そのため、これら各部が弾性変形域を超えないように可動マウント部２４０が固定マウント部２２０に対して動くことができないようにすることで、変形による各部の塑性変形を防ぐことができる。
【００４０】
＜可動マウント部２４０の回転検出＞
［回転検出システムブロック］
図１１は、回転検出部３７０に関わる制御システムを示すブロック図である。操作部３００の操作により回転検出部３７０のオン／オフが切り替わる。制御部４００は、回転検出部３７０のオン／オフを検知し、交換レンズ１００と撮像装置本体２００との間の電気通信のオン／オフを切り替える。表示部４１０は、撮像装置本体２００に設けられており、ユーザに撮像装置本体２００に関する情報を表示する。
【００４１】
［回転検出フロー］
図１２は、交換レンズ１００の着脱操作時における可動マウント部２４０の回転検出処理のフローチャートであり、可動マウント部２４０を交換レンズ１００の着脱可能位置から回転させたときの処理フローを示している。
【００４２】
撮像装置本体２００に設けられている電源ボタン（不図示）が押下されると、撮像装置本体２００の電源がオン状態になる（ステップＳ１００）。このとき、可動マウント部２４０は交換レンズ１００を着脱可能な位置にあり（回転角度θａ＝０°）、回転検出部３７０のメカスイッチ３７１はオフ状態となっている（ステップＳ１０１）。
【００４３】
制御部４００は、交換レンズ１００のバヨネット爪部１１２ａ〜１１２ｃが撮像装置本体２００の開口部２２２に落とし込まれたかを判定する（ステップＳ１０２）。具体的には、この判定は、撮像装置本体２００と交換レンズ１００との間で通信が可能か否かを判定することによって行われる。図７（ｂ）の状態、つまり、交換レンズ１００のバヨネット爪部１１２ａ〜１１２ｃが固定マウント部２２０の開口部２２２に落とし込まれていれていれば、レンズ側接点部１８０と本体側接点部３８０とは接触した状態にあり、これらの間での通信が可能になる。よって、通信不可の場合（Ｓ１０２でＮＯ）、交換レンズ１００が未装着であると判定され（ステップＳ１１２）、処理はステップＳ１０２に戻される。通信可能の場合（Ｓ１０２でＹＥＳ）、メカスイッチのオン／オフによって電気通信のオン／オフが選択可能な状態となる。
【００４４】
次に、操作部３３０の回動操作により交換レンズ１００の装着が開始されていれば、可動マウント部２４０の回転角度がθｃ（図７（ｃ）参照）となった時点で、メカスイッチ３７１がオンになる。そこで、制御部４００は、メカスイッチ３７１がオフからオンに切り替わったか否かを判定する（ステップＳ１１１）。メカスイッチ３７１がオフのままであるとき（Ｓ１１１でＮＯ）、撮像装置本体２００は交換レンズ１００と通信することができず（ステップＳ１２４）、処理はステップＳ１１１に戻される。一方、メカスイッチ３７１がオンになると（Ｓ１１１でＹＥＳ）、制御部４００は、操作部３００の回動操作が終了し、交換レンズ１００が撮像装置本体２００に固定されたものと判定する（ステップＳ１２１）。よって、制御部４００は、交換レンズ１００と撮像装置本体２００との間での電気通信を開始行する（ステップＳ１２２）。
【００４５】
制御部４００は、交換レンズ１００が固定された後も引き続いて、メカスイッチ３７１がオン状態か否かを判定する（ステップＳ１２３）。メカスイッチ３７１がオン状態である場合（Ｓ１２３でＹＥＳ）、電気通信を継続して実行し、撮像装置を撮影可能状態に保持する（ステップＳ１３１）。一方、電気通信の実行中（回転角度θｄ〜θｅでメカスイッチ３７１はオン状態にあるとき）に、メカスイッチ３７１がオフ状態になると（Ｓ１２３でＮＯ）、交換レンズ１００との電気通信を終了する（ステップＳ１３２）。そして、撮像装置本体２００の表示部（不図示）に、可動マウント部２４０が交換レンズ１００の着脱可能位置側へ回転して、交換レンズ１００の固定が緩んだことを表示して、ユーザに対して注意を喚起する（ステップＳ１３３）。これにより、不注意による交換レンズ１００の脱落が防止され、ユーザは、再び、操作部３３０の回動操作を行うこととなるため、制御部４００は処理をステップＳ１１１に戻す。なお、ステップＳ１３３の注意喚起は、表示と音とを併用してもよいし、音だけによる構成としてもよい。
【００４６】
なお、交換レンズ１００との装着と交換レンズ１００と撮像装置本体２００との間の電気通信とを確実に行うためには、ステップＳ１２１のときの可動マウント部２４０の回転角度θｃが、回転角度θｂ以上、且つ、回転角度θｄより小さくなければならない。また、ステップＳ１３２での可動マウント部２４０の回転角度は、交換レンズ１００が緩んだときにすぐ通知を行うことが可能である角度であることが好ましく、よって、回転角度θｂよりも回転角度θｄに近い角度とすることが望ましい。
【００４７】
以上説明したように、本実施形態によれば、レンズ側接点部１８０と本体側接点部３８０の全ての接点が確実に接触した状態において電源の供給が行われるため、電気通信不良の発生を未然に防止することができる。
【００４８】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４９】
１００    交換レンズ
１１０    マウント部
１１１    レンズ側マウント面
１１２ａ〜１１２ｃ    バヨネット爪部
１８０    レンズ側電気通信接点部
２００    撮像装置本体
２１０    固定部
２２０    固定マウント部
２２１    本体側マウント面
２２３    雌ねじ部（第１のねじ部）
２４０    可動マウント部
２４１ａ〜２４１ｃ    爪部
２４３    雄ねじ部（第２のねじ部）
３２０  リング部
３３０    操作部
３７０    回転検出部
３７１    メカニカルスイッチ（メカスイッチ）
３８０    本体側電気通信接点部
４００    制御部
４１０    表示部
【図１】
2013218150.tif 000003
【図２】
2013218150.tif 000004
【図３】
2013218150.tif 000005
【図４】
2013218150.tif 000006
【図５】
2013218150.tif 000007
【図６】
2013218150.tif 000008
【図７】
2013218150.tif 000009
【図８】
2013218150.tif 000010
【図９】
2013218150.tif 000011
【図１０】
2013218150.tif 000012
【図１１】
2013218150.tif 000013
【図１２】
2013218150.tif 000014